(57)【要約】【課題】材料費と組立工数を削減し、光学フィルタを前面から取り外し／装着可能な光学フィルタ取付構造を提供することを目的としている。【解決手段】前面パネル２の断面は略矩形であり、その背面にはリヤカバー１から延出されたフランジ部１ａが当接している。このフランジ部１ａには挿通孔１ｂが備えられており、この挿通孔１ｂと対応して前面パネル２の背面にネジ穴２ｂが設けられている。そして、ネジ５によりリヤカバー１と前面パネル２とが固定されている。また、前面パネル２の開放口内周には溝２ａが周設されており、この溝２ａの内壁側面に突部２ｃが備えられている。一方、ホルダー４の側面には、突部２ｃと対応する凹部４ａが設けられており、ホルダー４を溝２ａに差し入れたときに嵌合する構造となっている。【選択図】　図２
2004053853.tif 000002
【特許請求の範囲】
【請求項１】
ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリヤカバーの開放口周囲にフランジ部を設け、同フランジ部に固定され、前記光学フィルタの前面周囲を覆う前面パネルの内周面に溝を設け、前記光学フィルタを同前面パネルの前面から装着した後、前記光学フィルタの各辺を前記フランジ部とで挟持する板状のホルダーを前記溝に嵌着してなることを特徴とする光学フィルタ取付構造。
【請求項２】
前記溝の内壁側面に突部と、前記ホルダーの側面に前記突部と対応する凹部とを設けてなることを特徴とする請求項１記載の光学フィルタ取付構造。
【請求項３】
前記光学フィルタの背面と対応する前記フランジ部に切起を設けてなることを特徴とする請求項１または請求項２記載の光学フィルタ取付構造。
【請求項４】
前記溝の底面に前記前面パネルの側面に至る挿通孔を設けてなることを特徴とする請求項１乃至請求項３のいずれかに記載の光学フィルタ取付構造。
【発明の詳細な説明】
【０００１】
【発明の属する技術分野】
本発明は、ＰＤＰを用いた表示装置の不要輻射の防止や色補正などを行なう光学フィルタをＰＤＰの表示面前面から付設する光学フィルタ取付構造に関する。
【０００２】
【従来の技術】
従来、光学フィルタ取付構造は、例えば図４に示す構造となっている。
図４（Ａ）はＰＤＰを用いた表示装置の筐体構造を示した分解斜視図であり、見栄えをよくするため、プラスチックで成形された矩形の前面パネル８０と、不要輻射の防止や色補正などを行なう矩形の光学フィルタ８１と、同光学フィルタ８１を保持するともに、光学フィルタ８１の背面に張り付けられた金属箔または金属メッシュ（いずれも図示せず）と電気的に接続するための矩形のフロントケース８２と、表示装置の背面を覆い、有底状のリヤカバー８３とで構成されている。
【０００３】
図４（Ｂ）に示すように鋼板からなるリヤカバー８３の開放口周囲にフランジ部８３ａが延出して設けられており、このフランジ部８３ａには複数の挿通孔８３ｂが備えられている。一方、フロントケース８２は、断面コ字型の金属フレームで構成されており、背面にはフランジ部８３ａの挿通孔８３ｂと対応してネジ孔を備えている。そして、ネジ８４によりリヤカバー８３とフロントケース８２とを螺着している。
また、フロントケース８２の前面には左右に複数のネジ孔が備えられており、光学フィルタ８１をフロントケース８２と挟持して固定するためのフィルタホルダ８５にネジ孔と対応して挿通孔が備えられている。
【０００４】
フィルタホルダ８５は断面略Ｚ字型の鋼板の金具であり、フィルタホルダ８５とフロントケース８２との間に光学フィルタ８１の周囲を配置し、ネジ８６によりフロントケース８２に螺着する。フロントケース８２とリヤカバー８３とは金属であるため、固定された光学フィルタ８１背面の金属メッシュや金属箔は、フロントケース８２を介してリヤカバー８３と電気的に接続される構造となっている。この構造によりＰＤＰやその駆動部、制御回路など（図示せず）を金属で包み込むことにより、内部からの不要輻射を防止している。
このフロントケース８２は、前面から前面パネル８０を嵌め込む構造になっており、フロントケース８２を覆い隠して見栄えをよくしている。また、この様な薄型の表示装置は、表示面を残して壁に埋め込まれて設置する場合があった。
【０００５】
しかしながら、光学フィルタを固定するために、フロントケースとフィルタホルダが必要であるため材料費と組立工数が発生していた。また、壁内に組み込まれた表示装置の光学フィルタを交換したり、その奥に配置されたプラズマディスプレイ・パネルや制御装置の交換および保守は、表示装置全体を壁から取り外す必要があり、保守のために時間と工数がかかっていた。
【０００６】
【発明が解決しようとする課題】
本発明は以上述べた問題点を解決し、材料費と組立工数を削減し、光学フィルタを前面から取り外し／装着可能な光学フィルタ取付構造を提供することを目的としている。
【０００７】
【課題を解決するための手段】
本発明は、上記問題点を解決するため、ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリヤカバーの開放口周囲にフランジ部を設け、同フランジ部に固定され、前記光学フィルタの前面周囲を覆う前面パネルの内周面に溝を設け、前記光学フィルタを同前面パネルの前面から装着した後、前記光学フィルタの各辺を前記フランジ部とで挟持する板状のホルダーを前記溝に嵌着する。
【０００８】
また、前記溝の内壁側面に突部と、前記ホルダーの側面に前記突部と対応する凹部とを設ける。
【０００９】
また、前記光学フィルタの背面と対応する前記フランジ部に切起を設ける。
【００１０】
また、前記溝の底面に前記前面パネルの側面に至る挿通孔を設ける。
【００１１】
【発明の実施の形態】
以下、図面に基づいて本発明による光学フィルタ取付構造を詳細に説明する。図１は本発明による光学フィルタ取付構造を用いて、光学フィルタの取付方法を説明する斜視図であり、（Ａ）は光学フィルタの取付方法、（Ｂ）は光学フィルタの固定方法を示している。
図１（Ａ）に示すように、開放口周囲にフランジ部１ａを設けた有底状のリヤカバー１が表示装置の後部を覆うように配設されており、このリヤカバー１の前面に前面パネル２が固定されている。また、リヤカバー１のフランジ部１ａは、光学フィルタ３背面の周辺部分が当接する構造となっており、さらに、前面パネル２の開放口は光学フィルタ３の大きさよりやや大きい寸法に設計され、この前面パネル２の開放口の内周側面には溝２ａが周設されている。
ここで、光学フィルタ３を前面パネル２の開放口に、リヤカバー１のフランジ部１ａと当接するまで差し入れる。そして、図１（Ｂ）に示すように、板状のホルダー４を上下の溝２ａに差し入れ、次に左右に差し入れる。すると光学フィルタ３はこのホルダー４とフランジ部１ａとに挟持されて固定される。
【００１２】
次に、図２の上方から見た要部断面図を用いて第一実施例の構造を説明する。前面パネル２の断面は略矩形であり、その背面にはリヤカバー１から延出されたフランジ部１ａが当接している。このフランジ部１ａには挿通孔１ｂが備えられており、この挿通孔１ｂと対応して前面パネル２の背面にネジ穴２ｂが設けられている。そして、ネジ５によりリヤカバー１と前面パネル２とが固定されている。
また、前面パネル２の開放口内周には溝２ａが周設されており、この溝２ａの内壁側面に突部２ｃが備えられている。一方、ホルダー４の側面には、突部２ｃと対応する凹部４ａが設けられており、ホルダー４を溝２ａに差し入れたときに嵌合する構造となっている。
また、光学フィルタ３の背面と対応するフランジ部１ａに切起１ｃが設けられおり、光学フィルタ３背面の金属メッシュや金属箔（図示せず）と電気的に接続するとともに、光学フィルタ３をホルダー４に押圧し、摩擦で保持する構造になっている。
【００１３】
このように、ホルダー４とフランジ部１ａとで光学フィルタ３を挟持して固定する構造により、光学フィルタ３を前面から装着、取り外しを行なうことが可能であり、保守を容易に行なうことができる。
また、溝２ａの内壁側面の突部２ｃとホルダー４の側面の凹部４ａとが嵌合することにより、溝２ａからのホルダー４の脱落を防止するとともに、ホルダー４の装着と取り外しを容易にしている。
さらに、フランジ部１ａの切起１ｃにより、光学フィルタ３背面の金属メッシュや金属箔と電気的に確実に接触し、この接触面のインピーダンスを低下させることができる。
また、ホルダー４の前面側には引っかけ片が立設されており、ホルダー４を溝２ａから引き抜くときの引っかけとして利用できるようになっている。
【００１４】
図３は第二実施例である。第一実施例との違いは前面パネルの構造とホルダーの引っかけ片がないことの２点であり、この違いの部分について説明する。
溝１２ａの底面には、底面から前面パネル１２の側面に至る挿通孔１２ｄが設けられており、前面パネル１２の側面からこの挿通孔１２ｄに金属棒（図示せず）を差し入れ、ホルダー１４を溝１２ａから押し出すことができる構造となっている。
【００１５】
このため、ホルダー１４の前面に備えていた引っかけ片を省略できるため、前面パネル１２とホルダー１４とが装着状態で違和感のない形状とすることができ、デザイン性を向上させることができる。また、ホルダー１４を溝１２ａの底から押し出すことができるため、ホルダー１４の外観を傷つけずに、ホルダー１４を簡単に取り外すことができる。
【００１６】
【発明の効果】
以上説明したように、本発明による光学フィルタ取付構造によれば、請求項１に係わる発明は、表示装置の後部を覆う有底状のリヤカバーの開放口周囲にフランジ部を設け、同フランジ部に固定され、光学フィルタの前面周囲を覆う前面パネルの内周面に溝を設け、光学フィルタを同前面パネルの前面から装着した後、光学フィルタの各辺をフランジ部とで挟持する板状のホルダーを溝に嵌着することにより、
光学フィルタを前面から装着、取り外しを行なうことが可能であり、保守を容易に行なうことができる。また、従来例で説明したフロントケースやフィルタホルダが不必要となり、材料費と組立工数を削減できる。
【００１７】
請求項２に係わる発明は、溝の内壁側面に突部と、ホルダーの側面に突部と対応する凹部とを設けることにより、溝からのホルダーの脱落を防止するとともに、ホルダーの装着と取り外しを容易にしている。
【００１８】
請求項３に係わる発明は、光学フィルタの背面と対応するフランジ部に切起を設けることにより、光学フィルタ背面の金属メッシュや金属箔と電気的に確実に接触させ、インピーダンスを低下させることができる。
【００１９】
請求項４に係わる発明は、溝の底面に前面パネルの側面に至る挿通孔を設けることにより、デザイン性を向上させることができる。また、ホルダーを溝の底から押し出すことができるため、ホルダーの外観を傷つけずに、ホルダーを簡単に取り外すことができる。
【図面の簡単な説明】
【図１】本発明による光学フィルタ取付構造を用いて、光学フィルタの取付方法を説明する斜視図であり、（Ａ）は光学フィルタの取付方法、（Ｂ）は光学フィルタの固定方法を示す。
【図２】本発明による光学フィルタ取付構造を示す第一実施例の要部断面図である。
【図３】本発明による光学フィルタ取付構造を示す第二実施例の要部断面図である。
【図４】従来の光学フィルタ取付構造を示す（Ａ）は分解斜視図、（Ｂ）は上面から見た断面図である。
【符号の説明】
１　リヤカバー
１ａ　フランジ部
１ｂ　挿通孔
１ｃ　切起
２　前面パネル
２ａ　溝
２ｂ　ネジ穴
２ｃ　突部
３　光学フィルタ
４　ホルダー
４ａ　凹部
４ｂ　引っかけ片
５　ネジ
１２　前面パネル
１２ａ　溝
１２ｄ　挿通孔
１４　ホルダー
【図１】
2004053853.tif 000003
【図２】
2004053853.tif 000004
【図３】
2004053853.tif 000005
【図４】
2004053853.tif 000006